(57)【要約】【課題】  レバードラグ式の両軸受リールにおいて、巻き上げ時のスプールの回転を滑らかに維持しながら、ドラグ機構の制動力を向上させる。【解決手段】  スプール４は、糸巻胴部４ａと、糸巻胴部４ａの両側に形成され糸巻胴部４ａより大径の第１フランジ部４ｂ及び第２フランジ部４ｃとを有している。スプール４のハンドル３側には、スプール４を制動するドラグ機構６が設けられている。第２フランジ部４ｃは、第１フランジ部４ｂより大径となるように形成されている。第２フランジ部４ｃは、糸巻胴部４ａ側が第１制動部材２５より小径となるように形成された小径部４ｄと、最外周側が第１制動部材２５より大径となるように形成された大径部４ｅとを有している。【選択図】      図２
2005318865.tif 000002
【特許請求の範囲】
【請求項１】
釣り糸の繰り出し及び巻き取りを行う両軸受リールであって、
ハンドルと、
所定の間隔をあけて対向するように配置された第１側板及び第２側板と、前記第１側板と前記第２側板とを連結する連結部材と、前記第１側板の外方を覆う第１側カバーと、前記ハンドルが装着され前記第２側板の外方を覆う第２側カバーとを有するリール本体と、
前記第１側板と前記第２側板との間に回転可能に配置され、外周に前記釣り糸が巻き付けられる筒状の糸巻胴部と、前記糸巻胴部の前記第１側板側端部に径方向外方に突出して設けられた第１フランジ部と、前記糸巻胴部の前記第２側板側端部に径方向外方に突出して設けられ前記第１フランジ部より大径となるように形成された第２フランジ部とを有するスプールと、
前記第２側カバー外方に揺動自在に装着されたドラグ操作部材と、前記ドラグ操作部材の操作に連動して軸方向移動自在に前記第２側板と前記第２側カバーとの間に設けられ前記第２フランジ部の軸方向外方に固定された第１制動部材と、前記第２側板と前記第２側カバーとの間に前記第１制動部材が接触可能に設けられた第２制動部材とを有し、前記ドラグ操作部材の操作により前記第１制動部材を前記第２制動部材に対して接離させて前記第１制動部材と前記第２制動部材との接触摩擦を変更し前記スプールへの制動力を可変とするドラグ機構とを備え、
前記第２フランジ部は、最外周側が前記第１制動部材より大径となるように形成された略円筒状の大径部と、前記大径部と前記糸巻胴部の端部との間に段差を生成するように設けられ前記第１制動部材より小径となるように形成された略円筒状の小径部とを有している、両軸受リール。
【請求項２】
前記小径部は、前記第１フランジ部と略同径になるように形成されている、請求項１に記載の両軸受リール。
【請求項３】
前記大径部は、前記小径部と一体成形されている、請求項１又は２に記載の両軸受リール。
【請求項４】
前記大径部は、前記小径部と別体で形成されている、請求項１又は２に記載の両軸受リール。
【請求項５】
前記第２フランジ部は、前記大径部の内周側に一体で延びる第３フランジ部と、前記小径部の内周側に前記第３フランジ部と接触可能に配置され前記小径部及び前記糸巻胴部と一体成形された第４フランジ部とをさらに有しており、
前記第３フランジ部は、前記第４フランジ部に前記第１制動部材とともにねじ止め固定されている、請求項４に記載の両軸受リール。
【請求項６】
前記第２側板は、前記大径部と前記小径部との間を覆うように配置されている、請求項１から５のいずれか１項に記載の両軸受リール。
【請求項７】
前記第２側板は、前記小径部に近接するように径方向内方に延びている、請求項６に記載の両軸受リール。
【請求項８】
前記第２側板は、前記大径部と前記小径部との間を覆う部分が軸方向外方から軸方向内方に向けて径方向内方側に傾斜し、前記連結部材の外形と滑らかに連設している、請求項６又は７記載の両軸受リール。
【発明の詳細な説明】
【技術分野】
【０００１】
本発明は、両軸受リール、特に、釣り糸の繰り出し及び巻き取りを行う両軸受リールに関する。
【背景技術】
【０００２】
一般に、両軸受リールとして、レバー状のドラグ操作部材によりスプール軸を軸方向に移動させてスプールを制動するレバードラグ型の両軸受リールが知られている。この両軸受リールは、１対の側板及び側カバーを有するリール本体と、リール本体に軸方向移動自在に支持されたスプール軸と、スプール軸に回転自在に支持されたスプールと、スプールを制動するドラグ機構と、ハンドルの回転によりスプールを回転させるための回転伝達機構とを備えている。
【０００３】
スプールは、スプール軸とともに軸方向に移動可能であり、外周に釣り糸が巻き付けられる糸巻胴部と、糸巻胴部の両端に径方向外方に突出して設けられたフランジ部とを有している。ドラグ機構は、スプールのフランジ部の一端外側面に設けられた第１制動部材と、第１制動部材に圧接可能な第２制動部材と、スプール軸を軸方向に移動させるスプール軸移動機構とを備えている。第２制動部材は、スプール軸に回転自在に支持されており、第２制動部材にはハンドルからの回転が回転伝達機構を介して伝達される。スプール軸移動機構は、リール本体に揺動自在に支持されたレバー状のドラグ操作部材と、スプール軸の一端に固定されたキャップ状のドラグ調整部材と、ドラグ操作部材とドラグ調整部材との間に配置されリール本体に回転不能に装着されたカム部材とを有している。カム部材には傾斜カムが形成されており、ドラグ操作部材を揺動させることでドラグ操作部材が傾斜カムに乗り上げ、カム部材がドラグ調整部材を押圧してスプール軸を軸方向の一方に移動させる。スプール軸の他方側への移動は、たとえば第１制動部材と第２制動部材との間に配置されたばね部材の付勢力により行われる。
【０００４】
このような両軸受リールでは、ハンドルの回転による駆動力が、回転伝達機構を介してドラグ機構の第１制動部材に伝達され、第１制動部材と第２制動部材との圧接によりスプールに伝達される。このような構成では、ドラグ機構の制動力の調整は、スプール軸の一端に装着されたドラグ操作部材を一方向に揺動させることにより行われる。ドラグ操作部材を一方向に揺動させるとカム部材によりスプール軸が軸方向の一方に移動し、スプールがドラグ機構に接近し、第１制動部材が第２制動部材に圧接される。このような両軸受リールでは、ドラグ操作部材の操作により、ドラグ機構の制動力を調整するとともに、第１制動部材と第２制動部材とを離反させてスプールを自由回転状態にする。
【０００５】
このようなドラグ機構を有する両軸受リールは、第１制動部材が固定されるフランジ部を逆側のフランジ部に比して大径に形成し、逆側のフランジ部より大径の第１制動部材を設けたものが知られている（たとえば、特許文献１参照）。この両軸受リールでは、第１制動部材が逆側のフランジ部より大径に形成されているので、第１制動部材に作用するトルクが増大し、このためドラグの制動力を大きくすることができる。
【特許文献１】特開平１１−９１６０号公報
【発明の開示】
【発明が解決しようとする課題】
【０００６】
前記従来のドラグ機構を有する両軸受リールは、第１制動部材が逆側のフランジ部より大径に形成されているので、ドラグの制動力を大きくすることができる。しかし、第１制動部材を大径に形成するために第１制動部材が固定されるフランジ部を逆側のフランジ部に比して大径に形成すると、第１制動部材が固定されるフランジ部側の糸巻胴部では、逆側のフランジ部を超えた位置まで釣り糸を巻き付けてしまうおそれが生じる。このように第１制動部材が固定されるフランジ部側の糸巻胴部に釣り糸を大量に巻き付けると、スプールに作用する巻き上げトルクが増大し、巻き上げ時のスプールの滑らかな回転を阻害するおそれが生じる。
【０００７】
本発明の課題は、レバードラグ式の両軸受リールにおいて、巻き上げ時のスプールの回転を滑らかに維持しながら、ドラグ機構の制動力を向上させることにある。
【課題を解決するための手段】
【０００８】
発明１に係る両軸受リールは、釣り糸の繰り出し及び巻き取りを行う両軸受リールであって、ハンドルと、リール本体と、スプールと、ドラグ機構とを備えている。リール本体は、所定の間隔をあけて対向するように配置された第１側板及び第２側板と、第１側板と第２側板とを連結する連結部材と、第１側板の外方を覆う第１側カバーと、ハンドルが装着され第２側板の外方を覆う第２側カバーとを有している。スプールは、第１側板と第２側板との間に回転可能に配置され、外周に釣り糸が巻き付けられる筒状の糸巻胴部と、糸巻胴部の第１側板側端部に径方向外方に突出して設けられた第１フランジ部と、糸巻胴部の第２側板側端部に径方向外方に突出して設けられ第１フランジ部より大径となるように形成された第２フランジ部とを有している。ドラグ機構は、第２側カバー外方に揺動自在に装着されたドラグ操作部材と、ドラグ操作部材の操作に連動して軸方向移動自在に第２側板と第２側カバーとの間に設けられ第２フランジ部の軸方向外方に固定された第１制動部材と、第２側板と第２側カバーとの間に第１制動部材が接触可能に設けられた第２制動部材とを有し、ドラグ操作部材の操作により第１制動部材を第２制動部材に対して接離させて第１制動部材と前記第２制動部材との接触摩擦を変更しスプールへの制動力を可変とする。第２フランジ部は、最外周側が第１制動部材より大径となるように形成された略円筒状の大径部と、大径部と糸巻胴部の端部との間に段差を生成するように設けられ第１制動部材より小径となるように形成された略円筒状の小径部とを有している。
【０００９】
この両軸受リールでは、第２フランジ部は、軸方向外方に第１制動部材が固定され、第１フランジ部より大径となるように形成されている。また、第２フランジ部は、糸巻胴部側が第１制動部材より小径となるように形成され、最外周側が第１制動部材より大径となるように形成されている。ここでは、第２フランジ部の大径部が小径部より大径となるように形成されているので、第１制動部材を大径に形成することができ、ドラグの制動力を大きくすることができる。また、第２フランジ部の小径部が大径部より小径となるように形成されているので、小径部の段差部分が釣り糸を巻き付ける上限の目安となり、このため釣り糸の巻き付け量を減少でき、巻き上げ時のスプールに作用するトルクを小さくできる。したがって、巻き上げ時のスプールの回転を滑らかに維持しながら、ドラグ機構の制動力を向上できる。
【００１０】
発明２に係る両軸受リールは、発明１の両軸受リールにおいて、小径部は、第１フランジ部と略同径になるように形成されている。この場合、第１フランジ部と第２フランジ部の小径部とを略同径に形成することにより、釣り糸を左右均一に巻き付けできる。
【００１１】
発明３に係る両軸受リールは、発明１又は２の両軸受リールにおいて、大径部は、小径部と一体成形されている。この場合、大径部と小径部とを一体成形することにより、部品点数を減少できるとともに、強度を高く維持できる。
【００１２】
発明４に係る両軸受リールは、発明１又は２の両軸受リールにおいて、大径部は、小径部と別体で形成されている。この場合、小径部と別体の大径部の加工が容易になる。
【００１３】
発明５に係る両軸受リールは、発明４の両軸受リールにおいて、第２フランジ部は、大径部の内周側に一体で延びる第３フランジ部と、小径部の内周側に第３フランジ部と接触可能に配置され小径部及び糸巻胴部と一体成形された第４フランジ部とをさらに有している。第３フランジ部は、第４フランジ部に第１制動部材とともにねじ止め固定されている。この場合、第３フランジ部と第１制動部材とを第４フランジ部に別々にねじ止めする場合に比して、ねじ部材の個数を減少できる。
【００１４】
発明６に係る両軸受リールは、発明１から５のいずれかの両軸受リールにおいて、第２側板は、大径部と小径部との間を覆うように配置されている。この場合、第２側板が大径部と小径部との間を覆っているので、小径部より外周に釣り糸が巻き付けられるのを防止できる。
【００１５】
発明７に係る両軸受リールは、発明６の両軸受リールにおいて、第２側板は、小径部に近接するように径方向内方に延びている。この場合、第２側板が小径部に近接するように径方向内方に延びているので、第２側板の先端部が釣り糸の軸方向外方への移動を規制することができる。
【００１６】
発明８に係る両軸受リールは、発明６又は７の両軸受リールにおいて、第２側板は、大径部と小径部との間を覆う部分が軸方向外方から軸方向内方に向けて径方向内方側に傾斜し、連結部材の外形と滑らかに連設している。この場合、第２側板の突出した部分をなくして内周側に傾斜させ、リール外形より内側に配置された連結部材と連結させることにより、リール全体を小型化できる。
【発明の効果】
【００１７】
本発明によれば、レバードラグ式の両軸受リールにおいて、第２フランジ部を、糸巻胴部側が第１制動部材より小径となるように形成し、最外周側が第１制動部材より大径となるように形成することにより、巻き上げ時のスプールの回転を滑らかに維持しながら、ドラグ機構の制動力を向上できる。
【発明を実施するための最良の形態】
【００１８】
本発明の一実施形態による両軸受リールは、図１及び図２に示すように、中型のレバードラグ型のものであり、リール本体１と、リール本体１の側方に揺動自在に配置されたドラグ操作部材２と、ドラグ操作部材２の下方でリール本体１に回転自在に支持されたハンドル３と、リール本体１の内部に配置されたスプール４とを備えている。
【００１９】
リール本体１は、フレーム１０と、フレーム１０を両側方を覆う第１側カバー１３ａ及び第２側カバー１３ｂとを有している。フレーム１０は、左右１対の第１側板１１ａ及び第２側板１１ｂと、第１側板１１ａ及び第２側板１１ｂを連結する複数の連結部材１２とを有している。第１側板１１ａ及び第２側板１１ｂは側面視略円形の部材であり、第２側板１１ｂの径は第１側板１１ａの径より大径になるように形成されている。たとえば第２側板１１ｂの径は、第１側板１１ａの径の１１０％以上１４０％以下の範囲であり、この実施形態では第１側板１１ａの径の１１０％〜１２０％となっている。複数の連結部材１２は、第１側板１１ａ及び第２側板１１ｂと一体成形されており、下側の連結部材１２は、図１及び図２に示すように、リールを釣竿に装着するための前後に長い金属製の竿装着脚部９が固定されている。
【００２０】
第１側カバー１３ａは、図１及び図２に示すように、第１側板１１ａの側方に装着される側面視略円形の部材である。第２側カバー１３ｂは、第２側板１１ｂの側方に装着される円筒部１４と、円筒部１４の軸方向外方（図２右側）に突出する膨出部１５とを有している。第１側カバー１３ａ及び第２側カバー１３ｂは、それぞれ第１側板１１ａ及び第２側板１１ｂと略同径の側面視略円形の部材であり、第２側カバー１３ｂの径は第１側カバー１３ａの径より大径になるように形成されている。たとえば第２側カバー１３ｂの径は、第１側カバー１３ａの径の１１０％以上１４０％以下の範囲であり、本実施形態では第１側カバー１３ａの径の１１０％〜１２０％となっている。
【００２１】
円筒部１４は、図１及び図２に示すように、第２側板１１ｂの側方に装着される側面視略円形の筒状部材である。膨出部１５は、円筒部１４と一体成形され、内部に円筒部１４と連通する空間を有するように軸方向外方（図２右側）に突出して形成されている。膨出部１５は、側面視略卵形状の部材であり、下部の略半円形部分が円筒部１４より下方に突出するように形成されている。膨出部１５には、ドラグ操作部材２及びハンドル３が外方に露出するように装着されている。
【００２２】
膨出部１５のドラグ操作部材２の下方には、図１及び図２に示すように、ハンドル３装着用の突出筒１６が外方に突出して形成されている。突出筒１６の内部には、図２に示すように、スプール４の回転軸であるスプール軸５に平行にハンドル軸３１が配置されている。ハンドル軸３１は、図２に示すように、突出筒１６の両端に配置された２つの軸受３２、３３により突出筒１６に回転自在に支持されている。軸受３２、３３の間にはローラ型の第１ワンウェイクラッチ６２が配置されている。第１ワンウェイクラッチ６２は、ハンドル軸３１の糸巻き取り方向の回転だけを許容する。また、ハンドル軸３１の基端には、爪式の第２ワンウェイクラッチ６３も配置されている。この第２ワンウェイクラッチ６３も、ハンドル軸３１の糸巻き取り方向の回転だけを許容する。
【００２３】
ハンドル３は、図２に示すように、ハンドル軸３１の先端に固定されている。ハンドル３は、ハンドル軸３１の先端に固定されたハンドルアーム４０と、ハンドルアーム４０の先端に回動自在に支持されたハンドル把手４１とを備えている。ハンドルアーム４０は、ねじ部材４２によりハンドル軸３１の先端にハンドル軸３１相対回転不能に固定されている。ハンドル把手４１は、力を入れて握りやすくするために、外形が丸みを帯びた略Ｔ字形状になるように形成されている。
【００２４】
スプール４は、図２に示すように、筒状の糸巻胴部４ａと、糸巻胴部４ａの両側に形成され糸巻胴部４ａより大径の第１フランジ部４ｂ及び第２フランジ部４ｃとを有している。スプール４は軸受２０ａ、２０ｂによりスプール軸５に回転自在に支持されている。また、スプール４のハンドル３側には、スプール４を制動するドラグ機構６が設けられている。
【００２５】
第２フランジ部４ｃは、図２に示すように、第１フランジ部４ｂより大径となるように形成されている。第２フランジ部４ｃは、図５に拡大して示すように、糸巻胴部４ａ側がドラグ機構６を構成する後述する第１制動部材２５より小径となるように形成された円筒状の小径部４ｄと、最外周側が第１制動部材２５より大径となるように形成された円筒状の大径部４ｅとを有している。小径部４ｄは、大径部４ｅより小径になるように大径部４ｅと一体成形され、大径部４ｅと糸巻胴部４ａの端部との間に段差を生成するように設けられている。ここでは、糸巻胴部４ａの外周に釣り糸を巻き付けていくが、小径部４ｄの段差により小径部４ｄの最外径まで釣り糸を巻き付けることが可能である。また、第２側板１１ｂは、大径部４ｅと小径部４ｄとの間を覆うように配置されており、その先端部は小径部４ｄに近接するように径方向内方に延びている。このため、小径部４ｄより外周に釣り糸が巻き付けられるのを防止できるとともに、釣り糸が軸方向外方へ移動するのを規制できる。
【００２６】
小径部４ｄの径は、図２に示すように、第１フランジ部４ｂの径と略同径になるように形成されている。大径部４ｅの径は、小径部４ｄの径の１１０％以上１４０％以下の範囲であり、本実施形態では小径部４ｄの径の１２０％〜１３０％となっている。また、大径部４ｅの径は、第１側板１１ａ及び第１側カバー１３ａの径と略同径になるように形成されている。また、第１制動部材２５の径は、小径部４ｄの径の９０％以上の範囲であり、本実施形態では小径部４ｄの径の１３０％〜１４０％となっている。また、糸巻胴部４ａの外径は、小径部４ｄの径の３０％〜４０％となっている。
【００２７】
ドラグ機構６は、図２に示すように、スプール軸５に装着されたスプール４の糸繰り出し方向への回転に加えられる制動力を変更、調整するためのものである。ドラグ機構６は、図３に示すように、ドラグ操作部材２と、ドラグ操作部材２の内周部に設けられた第１カム部材２１と、第１カム部材２１に接触して配置された第２カム部材２２と、第２カム部材２２に相対回転可能に装着されスプール軸５を外方（図２右側）に引っ張るドラグ調整部材２７と、ドラグ調整部材２７を第２カム部材２２に対して軸方向に抜け止めする抜け止め部材２３と、スプール４を軸方向内方に付勢する第１付勢部材２４ａ（図２参照）及び第２付勢部材２４ｂと、ドラグ調整部材２７を軸方向外方（図２右側）に付勢する第３付勢部材２４ｃと、スプール４の軸方向外方（図２右側）に固定された第１制動部材２５と、第１制動部材２５が接触可能に配置された第２制動部材２６とを有している。なお、図２及び図４では、スプール軸５の上半分が最大ドラグ作動時の軸方向位置を示し、下半分がドラグ力減少位置を示している。
【００２８】
ドラグ操作部材２は、図３に示すように、中心部に形成されたボス部２ａが第２側カバー１３ｂに回転自在に支持され、そこから径方向外方に延びるレバー部２ｂが第２側カバー１３ｂに周方向の複数箇所で係止されるように構成されている。また、図４に示すように、ボス部２ａの内周部には、第１カム部材２１を装着するための取付部材２ｃが相対回転不能に固定されている。
【００２９】
第１カム部材２１は、図４に示すように、ドラグ操作部材２の取付部材２ｃの複数箇所に固定された棒状のカムピンである。第２カム部材２２は、第１カム部材２１に接触して配置され、第１カム部材２１の揺動に応じて軸方向に移動可能かつスプール軸５に対して回転不能な筒状部材である。第２カム部材２２は、第１カム部材２１との接触面が傾斜する傾斜面を有する傾斜カムである。第２カム部材２２の内周部は、スプール軸５に対して回転不能に装着されている。第２カム部材２２は、抜け止め部材２３により、ドラグ調整部材２７に対して軸方向に抜け止めされている。
【００３０】
第２カム部材２２は、ドラグ操作部材２の図２反時計回りの揺動により図４上側の軸方向左側に移動しドラグ力が弱くなる。また、ドラグ操作部材２を図２時計回りに揺動させると図４下側の軸方向右側に移動しドラグ力が強くなる。
【００３１】
抜け止め部材２３は、図４に示すように、たとえば弾性を有する合成樹脂製のＣ形止め輪である。抜け止め部材２３は、第２カム部材２２の外周面とドラグ調整部材２７の内周面とに接触するように配置され、Ｃ形止め輪が外方に広がろうとする力により両部材を軸方向移動不能に連結している。
【００３２】
ドラグ調整部材２７は、図４に示すように、有底筒状のキャップ部材であり、第２カム部材２２に相対回転可能に装着され、第２側カバー１３ｂから外方に突出したスプール軸５の端部が螺合し、螺合方向の回転によってスプール軸５を軸方向外方（図４右側）に引っ張る部材である。ドラグ調整部材２７の内周部には、雌ねじ部２７ａが形成されており、スプール軸５の端部に形成された雄ねじ部５ａが螺合している。ドラグ調整部材２７の内周部と、第２カム部材２２内周部の軸方向端面との間には、コイルばねからなる第３付勢部材２４ｃが装着されており、ドラグ調整部材２７を常に外方に付勢している。ドラグ調整部材２７の先端部外周部には、他の部分より凹んだ段差部２７ｂが周方向に沿って溝状に形成されている。ドラグ調整部材２７を着脱するときに段差部２７ｂを摘んで軸方向外方（図４右側）に引っ張ることにより、ドラグ調整部材２７の着脱が容易になる。
【００３３】
ドラグ調整部材２７は、反時計回りの回動により図４上側の軸方向左側に少しだけ移動しドラグ力が僅かに弱くなる。また、ドラグ調整部材２７を時計回りに回動させると図４下側の軸方向右側に少しだけ移動しドラグ力が僅かに強くなる。
【００３４】
スプール軸５は、図２に示すように、リール本体１に軸方向移動可能かつ相対回転不能に支持された軸部材である。スプール軸５の外周には、スプール４を回転自在に装着するための軸受２０ａ、２０ｂと、後述する第２制動部材２６を回転可能に支持するための軸受２０ｃが装着されている。軸受２０ａ、２０ｂの間のスプール軸５外周には、図２及び図３に示すように、スプール４を軸方向内方（図２左側）に付勢するコイルばねからなる第２付勢部材２４ｂが装着されている。また、軸受２０ａの軸方向内方（図２左側）のスプール軸５外周には、図２に示すように、スプール４を軸方向内方（図２左側）に付勢するコイルばねからなる第１付勢部材２４ａが装着されている。第１付勢部材２４ａは、第２付勢部材２４ｂに比して付勢力が強くなっている。このため、スプール軸５が軸方向に移動すると、まず第１付勢部材２４ａが作用し、次に第２付勢部材２４ｂが作用するようになっている。
【００３５】
また、第１側カバー１３ａの内周部には軸受２０ｄが装着されており、スプール軸５外周に装着されたピニオンギア６１の外周部を支持している。ピニオンギア６１は、図２に示すように、ハンドル軸３１の他端に固定されたメインギア６０と噛み合っている。ピニオンギア６１の先端部は後述する第２制動部材２６の内周側に固定されている。この結果、ハンドル３からの回転はメインギア６０、ピニオンギア６１、第２制動部材２６を介して第１制動部材２５に伝達され、第１制動部材２５からスプール４に伝達され、スプール４が回転する。
【００３６】
第１制動部材２５は、図２及び図３に示すように、第２側板１１ｂの内部において、スプール４の軸方向外方（図２右側）に固定される環状部材である。第１制動部材２５は、スプール４の糸巻き可能径である第２フランジ部４ｃの小径部４ｄより大径になるように形成されている。
【００３７】
第２制動部材２６は、第１制動部材２５が接触可能に配置され、軸方向移動不能かつスプール４の糸繰り出し方向への回転不能にスプール軸５に装着されている。第２制動部材２６は、第１制動部材２５よりやや小径であり、スプール軸５に軸受２０ｃにより回転自在に支持されている。第２制動部材２６は、ピニオンギア６１に内周面で噛み合っている。また、第２制動部材２６は、ピニオンギア６１、軸受２０ｄを介して、リール本体１により軸方向外方（図２右側）への移動が規制されている。
【００３８】
第１制動部材２５及び第２制動部材２６は、図５に拡大して示すように、対向面に互いに圧接可能に装着された略同径のドーナツ状の第１摺動ディスク２５ａ及び第２摺動ディスク２６ａをそれぞれ有している。第１摺動ディスク２５ａ及び第２摺動ディスク２６ａは、複数のねじ部材５１、５２により、それぞれスプール４の第１制動部材２５及び第２制動部材２６に固定されている。第１摺動ディスク２５ａは、たとえばカーボン繊維の織布にフェノール樹脂等の耐熱樹脂を含浸させた繊維強化樹脂等の耐熱合成樹脂製である。第２摺動ディスク２６ａは、たとえばステンレス等の耐熱耐食金属製である。
【００３９】
また、第２フランジ部４ｃの大径部４ｅの軸方向外方（図２右側）の先端部には、第１制動部材２５及び第２制動部材２６を覆うカバー円板２８が回転不能に連結されている。カバー円板２８は、第２制動部材２６の軸方向外方（図２右側）側全体を覆うようにスプール軸５方向に伸びる円盤状部材である。カバー円板２８は、第２フランジ部４ｃの大径部４ｅの先端部にねじ部材５３により固定されている。また、カバー円板２８と第２制動部材２６との間には、第２制動部材２６の外周部においてＯリング２９が封止されている。
【００４０】
このように構成された両軸受リールにおいて、仕掛けを下ろす際には、ドラグ操作部材２を操作してスプール４とドラグ機構６とを離脱状態にする。この結果、スプール４は自由回転状態になり、仕掛けの自重で釣り糸が繰り出される。
【００４１】
仕掛けが所定の水深に到達した後、ドラグ操作部材２を操作してスプール４とドラグ機構６とを係合状態にする。スプール４とドラグ機構６とを係合状態にすると、ハンドル３からの回転はメインギア６０、ピニオンギア６１、ドラグ機構６を介して、スプール４に伝達され、スプール４がハンドル３により回転可能になる。この状態で仕掛けに魚がヒットすると魚の引きによりスプール４が糸繰り出し方向に回転しようとする。
【００４２】
このとき、ドラグ操作部材２の操作により設定された所定のドラク力で釣り糸が繰り出されるようにする。ここで、ドラグ操作部材２を図２時計回りに揺動させると、第１カム部材２１が第２カム部材２２を軸方向外方（図２右側）に移動させ、これによりスプール軸５が軸方向外方（図２右側）に移動する。スプール軸５が軸方向外方（図２右側）に移動すると、スプール４も軸方向外方（図２右側）に移動し、スプール４外方に固定された第１制動部材２５が第２制動部材２６方向に移動し、第１制動部材２５と第２制動部材２６とが強く圧接しドラグ力が大きくなる。一方、ドラグ操作部材２を図２反時計回りに揺動させると、第１付勢部材２４ａ及び第２付勢部材２４ｂによりスプール軸５が軸方向内方（図２左側）に戻され、第１制動部材２５が第２制動部材２６から離反し、第１制動部材２５及び第２制動部材２６の圧接力が弱くなってドラグ力が弱くなる。
【００４３】
また、ドラグ機構６のドラグ力を微調整したいときは、ドラグ調整部材２７を回動させる。ドラグ調整部材２７を時計回りに回動させると、スプール軸５が軸方向外方（図２右側）に少しだけ移動し、第１制動部材２５と第２制動部材２６との圧接力が少しだけ増加し、このためドラグ力が僅かに強くなる。一方、ドラグ調整部材２７を反時計回りに回動させると、スプール軸５が軸方向内方（図２左側）に少しだけ移動し、第１制動部材２５と第２制動部材２６との圧接力が少しだけ減少し、このためドラグ力が僅かに弱くなる。
【００４４】
この種のドラグ機構６では、ドラグ操作部材２の操作位置に対する制動特性を変更するために、第２カム部材２２を傾斜角の異なる別の第２カム部材と交換することがある。ここで、第２カム部材２２を交換するには、第２カム部材２２が抜け止め部材２３により一体となったドラグ調整部材２７をスプール軸５から取り外すことにより、ドラグ調整部材２７とともに第２カム部材２２を取り外すことができる
このようなドラグ機構６を有する両軸受リールのスプール４では、第２フランジ部４ｃは、第１フランジ部４ｂより大径となるように形成されている。また、第２フランジ部４ｃは、糸巻胴部４ａ側が第１制動部材２５より小径となるように形成された小径部４ｄと、最外周側が第１制動部材２５より大径となるように形成された大径部４ｅとを有しているので、すなわち大径部４ｅが小径部４ｄより大径となるように形成されているので、第１制動部材２５を大径に形成することができ、ドラグの制動力を大きくすることができる。
【００４５】
また、第２フランジ部４ｃは、糸巻胴部４ａ側が第１制動部材２５より小径となるように形成されているので、すなわち小径部４ｄが大径部４ｅより小径となるように形成されているので、小径部４ｄの段差部分が釣り糸を巻き付ける上限の目安となり、このため釣り糸の巻き付け量を減少でき、巻き上げ時のスプール４に作用するトルクを小さくできる。したがって、巻き上げ時のスプール４の回転を滑らかに維持しながら、ドラグ機構６の制動力を向上させることができる。
【００４６】
〔他の実施形態〕
（ａ）  前記実施形態では、中型の両軸受リールを採用したが、リールの大きさや形状はこれに限定されるものではない。たとえば、大型の両軸受リールの場合、リール本体１の上部に連結部材１２を設けた構成にしてもよい。
【００４７】
（ｂ）  前記実施形態では、ドラグ機構６には、外部から操作可能な操作部材としてドラグ操作部材２及びドラグ調整部材２７のみが設けられていたが、たとえばドラグ機構６をロック、ロック解除するための操作部材等を別に設けてもよい。
【００４８】
（ｃ）  前記実施形態では、小径部４ｄと大径部４ｅとは一体成形されていたが、図６に示すように、小径部４ｄと大径部４ｅとを別体で形成し、小径部４ｄの軸方向外方（図６右側）に大径部４ｅを複数のねじ部材５４で固定する構成にしてもよい。また、図７に示すように、大径部４ｅの内周側に一体で延びる第３フランジ部４ｆと、小径部４ｄの内周側に第３フランジ部４ｆと接触可能に配置され糸巻胴部４ａ及び小径部４ｄと一体成形された第４フランジ部４ｇとをさらに設け、第４フランジ部４ｇに第３フランジ部４ｆを第１制動部材２５とともに複数のねじ部材５１でねじ止め固定する構成にしてもよい。
【００４９】
（ｄ）  図８に示すように、リール本体１の上部のリール外形より内側に連結部材１２を設けた構成において、第２側板１１ｂの大径部４ｅと小径部４ｄとの間を覆う部分を、軸方向外方から軸方向内方に向けて（図８左方向）径方向内方側（図８下方向）に傾斜せせ、連結部材１２の外形と滑らかに連設するように形成してもよい。この場合は、リール全体を小型化できる。
【００５０】
（ｅ）  第１側板１１ａ及び第２側板１１ｂ、第１側カバー１３ａ及び第２側カバー１３ｂ、スプール４及びドラグ機構６の外径の比率は、前記実施形態の比率に限定されるものではない。
【図面の簡単な説明】
【００５１】
【図１】本発明の一実施形態による両軸受リールの斜視図。
【図２】前記両軸受リールの断面図。
【図３】ドラグ機構の拡大断面図。
【図４】ドラグ調整部材周辺の拡大断面図。
【図５】第１制動部材周辺の拡大断面図。
【図６】他の実施形態の図５に相当する図。
【図７】他の実施形態の図５に相当する図。
【図８】他の実施形態の図５に相当する図。
【符号の説明】
【００５２】
１  リール本体
２  ドラグ操作部材
２ａ  ボス部
２ｂ  レバー部
２ｃ  取付部材
３  ハンドル
４  スプール
４ａ  糸巻胴部
４ｂ  第１フランジ部
４ｃ  第２フランジ部
４ｄ  小径部
４ｅ  大径部
４ｆ  第３フランジ部
４ｇ  第４フランジ部
５  スプール軸
５ａ  雄ねじ部
６  ドラグ機構
１０  フレーム
１１ａ  第１側板
１１ｂ  第２側板
１２  連結部材
１３ａ  第１側カバー
１３ｂ  第２側カバー
１４  円筒部
１５  膨出部
１６  突出筒
２０ａ、２０ｂ、２０ｃ、２０ｄ  軸受
２１  第１カム部材
２２  第２カム部材
２３  抜け止め部材
２４ａ  第１付勢部材
２４ｂ  第２付勢部材
２４ｃ  第３付勢部材
２５  第１制動部材
２５ａ  第１摺動ディスク
２６  第２制動部材
２６ａ  第２摺動ディスク
２７  ドラグ調整部材
２７ａ  雌ねじ部
２７ｂ  段差部
２８  カバー円板
２９  Ｏリング
３１  ハンドル軸
３２、３３  軸受
４０  ハンドルアーム
４１  ハンドル把手
４２、５１、５２、５３、５４  ねじ部材
６０  メインギア
６１  ピニオンギア
６２  第１ワンウェイクラッチ
６３  第２ワンウェイクラッチ
【図１】
2005318865.tif 000003
【図２】
2005318865.tif 000004
【図３】
2005318865.tif 000005
【図４】
2005318865.tif 000006
【図５】
2005318865.tif 000007
【図６】
2005318865.tif 000008
【図７】
2005318865.tif 000009
【図８】
2005318865.tif 000010